(57)【要約】【課題】スキンパックを利用して、しかも、ダンボール箱等による過剰包装を要することなく、衝撃による破損を防止することができる包装体を提供すること。【解決手段】蓋材１２を台紙として、固定用フィルム３を使用して固体内容物をスキンパックする。そして、この蓋材１２を容器本体１１のフランジ部１１ｃにシールして包装体１００とする。この際、固体内容物と容器本体の底面１１ａとの間、固体内容物と容器本体の側壁１１ｂとの間に空隙を有するように配置する。この空隙が外部からの衝撃を緩和して破損を防止する。【選択図】図１
2017105486.tif 000002
【特許請求の範囲】
【請求項１】
包装容器と、１又はそれ以上の固体内容物と、この固体内容物を固定する固定用フィルムとから成り、  
包装容器が容器本体と蓋材とで構成されており、容器本体が、底面と、この底面から立設して周囲を囲む側壁と、上面開口部を囲むフランジ部とを有すると共に、蓋材が容器のフランジ部にシールされて上面開口部を閉鎖しており、
固体内容物が蓋材の内面に位置すると共に、固定用フィルムが固体内容物を被覆して、その周囲で蓋材内面に密着しており、
固体内容物と容器本体の底面との間に空隙を有することを特徴とする緩衝性包装体。
【請求項２】
固体内容物と容器本体の側壁との間に空隙を有することを特徴とする請求項１に記載の緩衝性包装体。
【請求項３】
複数の固体内容物が蓋材内面に配置されており、これら固体内容物と固体内容物との間に間隙を有することを特徴とする請求項１又は２に記載の緩衝性包装体。
【請求項４】
容器本体が絞り成形されたプラスチック製容器であることを特徴とする請求項１〜３のいずれかに記載の緩衝性包装体。
【発明の詳細な説明】
【技術分野】
【０００１】
本発明は、いわゆるスキンパックを利用して、しかも、固体内容物を衝撃から保護することができる包装体に関する。
【背景技術】
【０００２】
スキンパックは、台紙上に固体内容物を配置し、この固体内容物を被覆して固定用フィルムを重ね、台紙と固定用フィルムとの間を真空吸引すると共に、固定用フィルムを加熱軟化させて、固体内容物の周囲で台紙と固定用フィルムとを密着させる技術であり、こうして得られた包装体をスキンパックと呼ぶこともある（特許文献１）。
【０００３】
真空吸引と固定用フィルムの加熱軟化とにより、固定用フィルムは概ね固体内容物の形状に沿って変形し、しかも、得られた包装体では台紙と固定用フィルムとの間は減圧状態に維持されているから、固体内容物は台紙に固定されて揺動することがない。
【先行技術文献】
【特許文献】
【０００４】
【特許文献１】実開昭５８−１６３４７４号公報
【発明の概要】
【発明が解決しようとする課題】
【０００５】
しかしながら、このようなスキンパックでは、固体内容物は薄い固定用フィルムによって覆われているだけであるから、外部から衝撃が加わった場合、この衝撃は直接固体内容物に伝わり、この固体内容物が破損するおそれがある。
【０００６】
このため、スキンパックの輸送時など、外部から衝撃が加わって内容物が破損するおそれがある場合には、このスキンパックを多数ダンボール箱等で梱包すると共に、スキンパックとダンボール箱等の間、あるいはスキンパックとスキンパックとの間を緩衝材を塞いで、その衝撃に備えることが通常であった。しかしながら、ダンボール箱等による梱包は過剰包装であった。
【０００７】
本発明は、このようなスキンパックを利用して、しかも、ダンボール箱等による過剰包装を要することなく、衝撃による破損を防止することができる包装体を提供することを目的とする。
【課題を解決するための手段】
【０００８】
すなわち、請求項１に記載の発明は、包装容器と、１又はそれ以上の固体内容物と、この固体内容物を固定する固定用フィルムとから成り、  
包装容器が容器本体と蓋材とで構成されており、容器本体が、底面と、この底面から立設して周囲を囲む側壁と、上面開口部を囲むフランジ部とを有すると共に、蓋材が容器のフランジ部にシールされて上面開口部を閉鎖しており、
固体内容物が蓋材の内面に位置すると共に、固定用フィルムが固体内容物を被覆して、その周囲で蓋材内面に密着しており、
固体内容物と容器本体の底面との間に空隙を有することを特徴とする緩衝性包装体である。
【０００９】
次に、請求項２に記載の発明は、固体内容物と容器本体の側壁との間に空隙を有することを特徴とする請求項１に記載の緩衝性包装体である。
【００１０】
次に、請求項３に記載の発明は、複数の固体内容物が蓋材内面に配置されており、これら固体内容物と固体内容物との間に間隙を有することを特徴とする請求項１又は２に記載の緩衝性包装体である。
【００１１】
次に、請求項４に記載の発明は、容器本体が絞り成形されたプラスチック製容器であることを特徴とする請求項１〜３のいずれかに記載の緩衝性包装体である。
【発明の効果】
【００１２】
本発明によれば、固体内容物が固定用フィルムに被覆されて蓋材の内面に固定されており、しかも、この固体内容物と容器本体の底面との間に空隙を有するから、外部から衝撃が加わった場合にも、この空隙が衝撃を緩和する。このため、従来のようにダンボール箱等の梱包を要することなく、しかも、衝撃による破損を防止することが可能となる。
【図面の簡単な説明】
【００１３】
【図１】図１は本発明の包装体の具体例に係り、図１（ａ）はその斜視図、図１（ｂ）は断面図である。
【図２】図２は開封時を示す斜視図である。
【発明を実施するための形態】
【００１４】
以下、図面を参照して本発明の具体例を説明する。図１は本発明の包装体の具体例に係り、図１（ａ）はその斜視図、図１（ｂ）は断面図である。
【００１５】
これらの図から分かるように、本発明の包装体１００は、包装容器１、固体内容物２、固定用フィルム３の３つを備えて構成されるもので、包装容器１は容器本体１１と蓋材１２とで構成されている。
【００１６】
容器本体１１は衝撃による変形が生じ難いものであることが望ましい。この例では、プラスチックシートを絞り成形して製造したものを容器本体１１としている。プラスチックシートとしては、例えば、ポリエチレンシート、ポリプロピレンシート、ポリ塩化ビニルシート、ポリエステルシート等が使用できる。このほか、容器本体１１として、プラスチックを射出成形して製造したもの、あるいは紙製の容器を使用することも可能である。
【００１７】
この容器本体１１は、底面１１ａと、この底面から立設して周囲を囲む側壁１１ｂと、上面の開口部を囲むフランジ部１１ｃとを有している必要がある。また、蓋材１２は、このフランジ部１１ｃにシールされて上面開口部を閉鎖するものである。蓋材２は任意の材質でよいが、通気性を有する必要がある。例えば、紙である。また、プラスチックシート、金属箔等を使用することもできるが、この場合には貫通孔を設けて通気性を確保することが望ましい。もちろん、これらを積層した多層構造のシートに貫通孔を設けたものであってもよい。
【００１８】
そして、本発明においては、この蓋材２を台紙として、固体内容物２がスキンパックされている必要がある。すなわち、固体内容物２を蓋材２上に載置し、この固体内容物２を被覆して固定用フィルム３を重ねる。そして、蓋材２から真空吸引すると共に、固定用フィルム３を加熱軟化させる。この真空吸引及び加熱軟化により、固定用フィルム３は概ね固体内容物２の外形に沿って変形し、密着する。なお、固体内容物２の周囲では、蓋材１２と固定用フィルム３とが密着して接着する。
【００１９】
こうして、蓋材１２を台紙とするスキンパックを使用して、容器本体１１の開口部に重ね、周囲のフランジ部１ｃに蓋材１２を剥離容易にシールすることにより、本発明の包装
体１００を製造することができる。
【００２０】
なお、この包装体１００において、固体内容物２と容器本体１１の底面１１ａとの間には空隙を有することが重要である。また、固体内容物２と容器本体１１の側壁１１ｂとの間にも空隙を有することが望ましい。外部から衝撃が加えられた時、これら空隙がその衝撃を吸収して、固体内容物２の損傷を防ぐからである。
【００２１】
なお、この例では、包装体１００には１つの固体内容物２を収容しているが、複数の固体内容物を収容することも可能である。この場合にも、複数の固体内容物２のうち、どの固体内容物２についても、容器本体１１の底面１１ａとの間に空隙を有することが必要である。また、どの固体内容物２についても、容器本体１１の側壁１１ｂとの間に空隙を有することが望ましく、固体内容物２と固体内容物２との間にも間隙を有することが望ましい。包装体１００の揺動により固体内容物２同士が衝突して破損することを防ぐためである。
【００２２】
固体内容物２は任意の物品であってよいが、衝撃で壊れ易い商品が好適である。例えば、精密部品やプラスチック成形品である。また、固定用フィルム３としては加熱により軟化するフィルムであることが必要である。例えば、ポリエチレンフィルム、ポリプロピレンフィルム、ポリ塩化ビニルフィルム等の熱可塑性樹脂フィルムを使用することができる。
【００２３】
この包装体１００から固体内容物２を取り出す際には、まず蓋材１２を容器本体１１から剥離して開封し（図２参照）、次に固定用フィルム３を剥離すればよい。
【符号の説明】
【００２４】
１００：包装体
１１：容器本体    １１ａ：底面    １１ｂ：側壁    １１ｃ：フランジ部
１２：蓋材
２：固体内容物
３：固定用フィルム
【図１】
2017105486.tif 000003
【図２】
2017105486.tif 000004